(57)【特許請求の範囲】
【請求項１】
前板、背板、両側板、蓋板等より形成されるケース状の箱に於いて、左右対称に配置され、その両末端部が前記背板に接続された折返板と吊具との側部にそれぞれ連設され、伸びながら或いは収縮しながら移動し得る一対の横Ｕ状伸縮部材を介して前記吊具を前記背板の上部に連設して構成したことを特徴とした吊下箱。
【請求項２】
前記一対の横Ｕ状伸縮部材が前記背板とこの背板に折曲可能に連設された挟持板との間に移動可能に挟持されると共に、前記吊具の上部を背板と挟持板との境部に穿設された切溝より露出して構成したことを特徴とした請求項１の吊下箱。
【発明の詳細な説明】
【０００１】
【発明の属する技術分野】
本発明はデパート、コンビニエンスストア、商店等の店内等に於いて吊下げながら商品を展示販売することが出来るケース状の吊下箱に係り、特に吊具の下部に伸縮部材を一体的に取付けることによって該吊具を必要に応じて上方に引出して使用することが出来る吊下箱に関するものである。
【０００２】
【従来の技術】
従来のこの種の吊下箱は、ケース状紙箱の背板上部に切線と折曲線を設けることによって、背板上部に吊具を形成し、この吊具を商店等の店内壁面に設けられたフック部材等に係止することによって、紙箱内に収納された商品を展示しながら販売していた。
【０００３】
【発明が解決しようとする課題】
然るに、前述の吊下箱に於いては、紙箱の背板上部に吊具を設け、かつこの吊具を背板の上縁より起立突設して構成していたので、紙箱に商品を充填する作業時や、商品が充填された紙箱を保管したり、搬送する際に吊具が邪魔になり、吊具が外圧で折れ曲ったり、破損したりして使用が困難になる問題があった。
【０００４】
本発明に係る吊下箱は前述の従来の問題点に鑑み開発された全く新しい技術であって、特に、前板、背板、側板等よりなるケース状の箱に於いて、背板の上部に伸縮部材を介して吊具を連設して設け、該吊具の不使用時には縮めて箱の外方に大きく突出することを防ぎ、かつ使用時に箱の外方に突出させて使用することが出来るようにした全く新しい吊下箱の技術を提供するものである。
【０００５】
【課題を解決するための手段】
本発明に係る吊下箱は、前述の従来の多くの問題点を根本的に改善した発明であって、その第１発明の要旨は、前板、背板、両側板、蓋板等より形成されるケース状の箱に於いて、左右対称に配置され、その両末端部が前記背板に接続された折返板と吊具との側部にそれぞれ連設され、伸びながら或いは収縮しながら移動し得る一対の横Ｕ状伸縮部材を介して前記吊具を前記背板の上部に連設して構成したことを特徴とした吊下箱である。
【０００６】
前述の吊下箱の第１発明に於いては、ケース状の箱に於いて、左右対称に配設した一対の横Ｕ状伸縮部材を介して吊具を箱の背板の上部に連設して構成したので、一対の横Ｕ状伸縮部材の作用で、通常は吊具を収縮した状態で箱内に収納させることが出来る。
【０００７】
従って、箱内に商品を充填したり、商品を保管或は搬送する際に吊具が箱の外方に突出して邪魔になったり、吊具が外圧で折れ曲がったり、或は破損されることを防止出来る。また、箱を吊下げる際には、前記一対の伸縮部材を伸ばして吊具を箱内より外方に引き出して使用することが出来る。
【０００８】
本発明に係る吊下箱の第２発明の要旨は、前記一対の横Ｕ状伸縮部材が前記背板とこの背板に折曲可能に連設された挟持板との間に移動可能に挟持されると共に、前記吊具の上部を背板と挟持板との境部に穿設された切溝より露出して構成したことを特徴とした第１発明の吊下箱である。
【０００９】
前述の第２発明に於いては、吊具を伸縮し得る前記一対の横Ｕ状伸縮部材が、背板とこの背板に折曲可能に連設された挟持板との間に移動可能な如く挟持されているので、これ等の一対の横Ｕ状伸縮部材の伸縮移動を規制しながら安定させ、かつこれ等の一対の横Ｕ状伸縮部材が破損することを防止出来る。
【００１０】
また、前述の第２発明に於いては、前記背板と挟持板との境部に切溝が穿設されると共に、この切溝に前記吊具の上部を挿入して露出するように構成したので、吊具の使用に当っては、その上部をつまんで引上げることによって、前記一対の横Ｕ状伸縮部材を伸ばして吊具を上方に突出させて使用することが出来る。
【００１１】
【発明の実施の形態】
図により本発明に係る吊下箱の一実施例を具体的に説明すると、図１は本発明に係る吊下箱の斜視説明図、図２は図１の吊下箱の展開平面図、図３は要部の第一段階の折畳説明図、図４は第二段階の折畳説明図である。
【００１２】
図５は図１の吊下箱の組立説明図、図６(ａ)、(ｂ)は吊具を伸縮させて切溝より出し入れする状態の説明図、図７は吊具を切溝より引出して突出させる状態の斜視説明図である。
【００１３】
図１乃至図７に於いて、１は本発明の吊下箱を構成するためのブランク板であって、その中央部には、側板２、前板３、側板４、背板５及び貼着片６が左右に順に連設されている。前板３には窓７が設けられ、かつその上下縁には蓋板８及び底板９が連設されている。
【００１４】
前記背板５の上縁には背板５上に折り重ねることが出来る挟持板１０と折返板１１とが折曲線を介して連設されている。さらに、折返板１１には一対の横Ｕ状伸縮部材１２ａ、１２ｂを介して吊具１３が連設されている。前記折返板１１と吊具１３とは、例えば図２に示す如く、その一部を切断可能な如く連設することも出来る。
【００１５】
前記一対の横Ｕ状伸縮部材１２ａ、１２ｂは図に示すように、両者の頭部が中心側に於いて向い合っており、その両末端部が折返板１１と吊具１３との側部に連設されている。従って、吊具１３を上方に引上げた場合には、これ等の一対の横Ｕ状伸縮部材１２ａ、１２ｂが伸びるように形成されている。
【００１６】
前記吊具１３はほぼ逆Ｔ字形を有しており、その頂部１３ａには吊穴１４が穿設されている。前記背板５と折返板１１との境部には、吊具１３の頂部１３ａを挿通し得る切溝１５が穿設されている。図中１６、１７は夫々側板２、４或は蓋板８、底板９に連設された舌片である。
【００１７】
本発明に係る吊下箱の組立構成に当っては、特に図３乃至図６（ａ）、（ｂ）に示す如く、折返板１１と吊具１３とを挟持板１０上に折り重ね、かつ吊具１３の頂部１３ａを切溝１５の位置に配置する。
【００１８】
次に、挟持板１０を背板５上に折り重ね、これによって挟持板１０と背板５とで前記折返板１１、一対の横Ｕ状伸縮部材１２ａ、１２ｂ及び吊具１３を挟持する。その後でブランク板１を全体的に折り曲げ、通常の折畳紙箱と同様に貼着片６を側板２に貼着して、ケース状の箱を構成することが出来る。
【００１９】
本発明の吊下箱は、前述のように折り曲げて組立構成したので、特に図６（ａ）、（ｂ）及び図７に示す如く、切溝１５に挿入されてその一部が露出されている吊具１３の頂部１３ａをつまんで上方に引上げると、前述のように背板５と挟持板１０とで挟持されている一対の横Ｕ状伸縮部材１２ａ、１２ｂが夫々伸びながら移動するので、頂部１３ａを切溝１５より完全に露出することが出来る。
【００２０】
従って、吊具１３はこの状態で店内等に設けられたフック等の吊下部材に係止して吊下げることが出来る。前記吊具１３は前述のように逆Ｔ状をしているので、切溝１５から吊具１３が抜け出すことを防止出来る。また、吊具１３が不要の場合には、前記一対の横Ｕ状伸縮部材１２ａ、１２ｂの作用によって収縮しながら吊具１３の頂部１３ａを切溝１５の中に収納することが出来る。
【００２１】
前記実施例に於いては、吊具１３の頂部１３ａに吊穴１４を設けたが、この頂部１３ａをフック形状に構成することも可能である。
【００２２】
本発明に係る吊下箱は、前述の構成を有するので、吊具１３を使用しない際には、この吊具１３を箱内に収納することが出来る。そのために、箱に商品を収納したり、箱を保管したり或は箱を搬送する際に吊具１３が邪魔にならず、かつ吊具１３が外圧等で折れ曲がったり、破損したりすることを防止出来る。
【００２３】
また、吊具１３を使用する際には、前述のように、吊具１３の頂部１３ａが切溝１５より露出しているので、これを引上げることによって簡単に突出させて使用することが出来る。
【００２４】
さらに、前記吊具１３と一対の横Ｕ状伸縮部材１２ａ、１２ｂとは夫々挟持板１０と背板５とによって挟持されながら、両者間を摺動するので、この移動が安定してスムーズであり、かつ比較的強度が弱い一対の横Ｕ状伸縮部材１２ａ、１２ｂも挟持板１０と背板５とで保護することが出来る。
【００２５】
本発明の吊下箱は、一見すると複雑のように見えるが、背板５に連設された挟持板１０、折返板１１及び吊具１３等は単に背板５上に折り重ねれば良いので、従来から一般的に使用されている自動製箱機を用いることによって、簡単かつ安価に大量生産することが出来る。
【００２６】
【発明の効果】
本発明に於いては、ケース状の箱に於いて、左右対称に配設した一対の横Ｕ状伸縮部材を介して吊具を箱の背板の上部に連設して構成したので、一対の横Ｕ状伸縮部材の作用で、通常は吊具を収縮した状態で箱内に収納させることが出来る効果を有している。
【００２７】
従って、箱内に商品を充填したり、商品を保管或は搬送する際に吊具が箱の外方に突出して邪魔になったり、吊具が外圧で折れ曲がったり、或は破損されることを防止出来る効果も有している。また、箱を吊下げる際には、前記一対の伸縮部材を伸ばして吊具を箱内より外方に引き出して使用することが出来る効果を有している。
【００２８】
さらに、吊具を伸縮し得る前記一対の横Ｕ状伸縮部材を、背板とこの背板に折曲可能に連設された挟持板との間に移動可能な如く挟持した場合には、これ等の一対の横Ｕ状伸縮部材の伸縮移動を規制しながら安定させ、かつこれ等の一対の横Ｕ状伸縮部材が破損することを防止出来る効果を有している。
【００２９】
前記背板と挟持板との境部に切溝を穿設し、かつこの切溝に前記吊具の上部を挿入して露出するように構成した場合には、吊具の使用に当って、その上部をつまんで引上げることによって、前記一対の横Ｕ状伸縮部材を伸ばして吊具を上方に突出させて使用することが出来る効果を有している。
【図面の簡単な説明】
【図１】  本発明に係る吊下箱の斜視説明図である。
【図２】  図１の吊下箱の展開平面図である。
【図３】  要部の第一段階の折畳説明図である。
【図４】  要部の第二段階の折畳説明図である。
【図５】  図１の吊下箱の組立説明図である。
【図６】  図６(ａ)、(ｂ)は吊具を伸縮させて切溝より出し入れする状態の説明図である。
【図７】  吊具を切溝より引出して突出させる状態の斜視説明図である。
【符号の説明】
１…ブランク板
２…側板
３…前板
３ａ…両上隅
４…側板
５…背板
６…貼着片
７…窓
８…蓋板
９…底片
１０…挟持板
１１…折返板
１２ａ…横Ｕ状伸縮部材
１２ｂ…横Ｕ状伸縮部材
１３…吊具
１３ａ…１３の頂部
１４…吊穴
１５…切溝
１６…舌片
１７…舌片
【図１】
0003977603.tif 000002
【図２】
0003977603.tif 000003
【図３】
0003977603.tif 000004
【図４】
0003977603.tif 000005
【図５】
0003977603.tif 000006
【図６】
0003977603.tif 000007
【図７】
0003977603.tif 000008